(57)【要約】      （修正有）【課題】デザイン画像を爪に印刷する場合に、デザイン画像に含まれる絵柄デザインと背景デザインとをそれぞれ爪に合うようにフィッティングさせるネイルプリント装置及びネイルプリント装置の印刷制御方法を提供する。【解決手段】ネイルプリント装置に、絵柄デザインＰと背景デザインＢとを含む画像データに基づいて爪領域Ｔａに印刷を行う印刷ヘッドと、絵柄デザインＰが爪領域Ｔａ内に位置するように画像データを処理する第１の画像データ処理部と、背景デザインＢが爪領域Ｔａを包含するように画像データを処理する第２の画像データ処理部とを有する画像データ処理部とを備えた。【選択図】図８
2014045927.tif 000002
【特許請求の範囲】
【請求項１】
絵柄デザインである第１のデザインと、背景デザインである第２のデザインと、を含む画像データに基づいて爪領域に印刷を行う印刷ヘッドと、
前記第１のデザインが前記爪領域内に位置するように前記画像データを処理する第１の画像データ処理部と、前記第２のデザインが前記爪領域を包含するように前記画像データを処理する第２の画像データ処理部と、を有する画像データ処理部と、
を備えていることを特徴とするネイルプリント装置。
【請求項２】
前記第２の画像データ処理部は、前記第２のデザインが前記爪領域を包含するように前記第２のデザインに所定の繰り返し幅のエッジ領域を当該第２のデザインの端から繰り返して設けることで当該第２のデザインが延伸するように前記画像データを処理することを特徴とする請求項１に記載のネイルプリント装置。
【請求項３】
前記絵柄デザインは、絵柄、漢字、平仮名、カタカナ、アルファベット、数字、記号、絵文字、の少なくともいずれかを含み、
指を撮影して指画像を得る撮影部と、
前記撮影部によって取得された前記指画像から爪領域を抽出する爪領域抽出部と、
前記画像データ処理部によって処理された前記画像データに基づいて前記爪領域に印刷を行うよう前記印刷ヘッドを制御する印刷制御部と、
を備えていることを特徴とする請求項１又は請求項２に記載のネイルプリント装置。
【請求項４】
前記第２のデザインに所定の繰り返し幅のエッジ領域を設定し当該繰り返し幅と当該第２のデザインとを対応づけて記憶する対応付け記憶部をさらに備え、
前記第２の画像データ処理部は、前記第２のデザインが前記爪領域を包含するように前記第２のデザインに対応付けて前記対応付け記憶部に記憶された前記繰り返し幅の前記エッジ領域を当該第２のデザインの端から繰り返して設けることで当該第２のデザインが延伸するように前記画像データを処理することを特徴とする請求項１から請求項３のいずれか一項に記載のネイルプリント装置。
【請求項５】
前記画像データは、前記第１のデザインの画像データである第１の画像データと、前記第２のデザインの画像データである第２の画像データと、で構成されており、
前記第１の画像データ処理部は、前記第１のデザインが前記爪領域内に包含されるように当該第１のデザインの画像データである前記第１の画像データを処理し、
前記第２の画像データ処理部は、前記第２のデザインが前記爪領域を包含するように当該第２のデザインの画像データである前記第２の画像データのデータを処理することを特徴とする請求項１から請求項４のいずれか一項に記載のネイルプリント装置。
【請求項６】
前記画像データ処理部によって処理された前記画像データを表示する表示部を備えていることを特徴とする請求項１から請求項５のいずれか一項に記載のネイルプリント装置。
【請求項７】
印刷ヘッドにより、絵柄デザインである第１のデザインと、背景デザインである第２のデザインと、を含む画像データに基づいて爪領域に印刷する場合に、
前記第１のデザインが前記爪領域内に位置するように前記画像データを処理する第１の画像データ処理部と、前記第２のデザインが前記爪領域を包含するように前記画像データを処理する第２の画像データ処理部と、を有する画像データ処理部により、前記画像データを処理することを特徴とするネイルプリント装置の印刷制御方法。
【請求項８】
前記第２の画像データ処理部は、前記第２のデザインが前記爪領域を包含するように前記第２のデザインに所定の繰り返し幅のエッジ領域を当該第２のデザインの端から繰り返して設けることで当該第２のデザインが延伸するように前記画像データを処理することを特徴とする請求項７に記載のネイルプリント装置の印刷制御方法。
【請求項９】
前記絵柄デザインは、絵柄、漢字、平仮名、カタカナ、アルファベット、数字、記号、絵文字、の少なくともいずれかを含み、
撮影部により、指を撮影して指画像を取得し、
爪領域抽出部により、前記指画像から爪領域を抽出し、
印刷制御部により、前記画像データ処理部によって処理された前記画像データに基づいて前記爪領域に印刷を行うよう前記印刷ヘッドを制御することを特徴とする請求項７又は請求項８に記載のネイルプリント装置の印刷制御方法。
【請求項１０】
前記第２のデザインに所定の繰り返し幅のエッジ領域を設定し当該繰り返し幅と当該第２のデザインとを対応づけて対応付け記憶部に記憶させ、
前記第２の画像データ処理部により、前記第２のデザインが前記爪領域を包含するように前記第２のデザインに対応付けて前記対応付け記憶部に記憶された前記繰り返し幅の前記エッジ領域を当該第２のデザインの端から繰り返して設けることで当該第２のデザインが延伸するように前記画像データを処理することを特徴とする請求項７から請求項９のいずれか一項に記載のネイルプリント装置の印刷制御方法。
【請求項１１】
前記画像データは、前記第１のデザインの画像データである第１の画像データと、前記第２のデザインの画像データである第２の画像データと、で構成されており、
前記第１の画像データ処理部により、前記第１のデザインが前記爪領域内に包含されるように当該第１のデザインの画像データである前記第１の画像データを処理し、
前記第２の画像データ処理部により、前記第２のデザインが前記爪領域を包含するように当該第２のデザインの画像データである前記第２の画像データのデータを処理することを特徴とする請求項７から請求項１０のいずれか一項に記載のネイルプリント装置の印刷制御方法。
【請求項１２】
前記画像データ処理部によって処理された前記画像データを表示する表示部を備えていることを特徴とする請求項７から請求項１１のいずれか一項に記載のネイルプリント装置の印刷制御方法。
【発明の詳細な説明】
【技術分野】
【０００１】
本発明は、ネイルプリント装置及びネイルプリント装置の印刷制御方法に関するものである。
【背景技術】
【０００２】
従来、人の指の爪に好みのデザイン画像を印刷（ネイル印刷）するネイルプリント装置が知られている。
このような装置を用いれば、ネイルサロン等を利用することなく、簡易にネイルプリントを楽しむことができる。
ネイルプリント装置によってデザイン画像を爪に印刷する場合には、デザイン画像をユーザの爪の大きさや形状に合わせる必要がある。
この点、例えば、爪のおよその大きさを装置に取り込み、ネイルアートパターン（デザイン画像）を、爪のおよその輪郭像と合成することによりデザイン画像をユーザの爪の大きさや形状に合わせ込む技術が提案されている（例えば、特許文献１参照）。
【０００３】
しかし、爪には、伸長方向(縦方向)に長い爪、幅方向（横方向）に長い爪など様々な形状がある。また、爪の伸長方向(縦方向)と直交する幅方向（横方向）の長さは、爪の伸長方向(縦方向)の位置によって異なることが殆どである。このため、単にデザイン画像を爪のおよその輪郭像と合成するだけでは、デザイン画像をユーザの爪に完全に合わせ込むことは難しく、塗り残しやはみ出しを生じてしまう。
そこで、デザイン画像の塗り残しやはみ出しが生じてしまうことを防ぐため、特許文献１には、被施術者（ユーザ）が、「印刷されるパターンの大きさや縦横比、位置などを爪にあわせて調節する」ことが開示されている。
【先行技術文献】
【特許文献】
【０００４】
【特許文献１】特開２００４-１５４９４４号公報
【発明の概要】
【発明が解決しようとする課題】
【０００５】
しかしながら、ユーザが、印刷されるデザイン画像の大きさや縦横比、位置などを自分で微調整して爪に合わせ込むことは非常に時間や手間がかかる。このため、このような準備を行わないと自分の爪に合ったネイル印刷を行うことができないのでは、手軽にネイル印刷を楽しむことができない。
【０００６】
また、例えば、デザイン画像がワンポイントの絵柄デザインと小さなデザインが全体にちりばめられている全体柄の背景デザインとを備えているような場合、背景デザインを爪の大きさ、形状に合わせて縮小し調整すると、絵柄の配置バランスが崩れたり、絵柄が歪んでしまったりする。また、絵柄全体が爪の範囲内に収まるように爪の縦横のうち短い方の長さに合わせて画像データを縮小し調整すると、背景も一緒に縮小されてしまい、爪の縦横のうち長い方の長さが足りなくなって背景画像が印刷されない領域を生じてしまう場合があるとの問題もある。
すなわち、例えば、横方向に長い絵柄デザイン（例えば、横向きの鉛筆の絵柄）と横方向に長い背景デザインとの組合せで構成されるデザイン画像を縦方向に長い爪に合わせ込む（フィッティングする）場合、背景デザインが爪の縦方向の長さ全体をカバーするようにデザイン画像をフィッティングすると、絵柄デザインが大き過ぎて爪からはみ出したり、縦方向に拡大され縦横比が変化した歪な絵柄デザイン（縦方向に太い歪な鉛筆の絵柄）となったりする。また、絵柄デザインが爪の横方向の長さに合うようにデザイン画像をフィッティングすると、絵柄デザインは、爪からはみ出ないが、背景デザインが爪よりも小さくなってしまい、爪にデザイン画像が印刷されない領域（非印刷領域）ができてしまう。
こうした不都合を防ぐためには、デザイン画像としてどのような爪にも合うような大きなものを用意し、これをユーザが手動で爪ごとにフィッティングさせる等、非常に手間のかかる処理を行う必要があり、簡易かつ迅速にネイル印刷を行うことができないとの問題があった。
【０００７】
本発明は以上のような事情に鑑みてなされたものであり、デザイン画像を爪に印刷する場合に、デザイン画像に含まれる絵柄デザインと背景デザインとをそれぞれ爪に合うようにフィッティングさせるネイルプリント装置及びネイルプリント装置の印刷制御方法を提供することを目的とするものである。
【課題を解決するための手段】
【０００８】
前記課題を解決するために、本発明のネイルプリント装置は、
絵柄デザインである第１のデザインと、背景デザインである第２のデザインと、を含む画像データに基づいて爪領域に印刷を行う印刷ヘッドと、
前記第１のデザインが前記爪領域内に位置するように前記画像データを処理する第１の画像データ処理部と、前記第２のデザインが前記爪領域を包含するように前記画像データを処理する第２の画像データ処理部と、を有する画像データ処理部と、
を備えていることを特徴としている。
【発明の効果】
【０００９】
本発明によれば、デザイン画像を爪に印刷する場合に、デザイン画像に含まれる絵柄デザインと背景デザインとをそれぞれ爪に合うようにフィッティングさせることができるとの効果を奏する。
【図面の簡単な説明】
【００１０】
【図１】本発明に係るネイルプリント装置の一実施形態を概念的に示した斜視図で、蓋体を開いた状態を示している。
【図２】図１のネイルプリント装置の装置本体を概念的に示した斜視図である。
【図３】図１のネイルプリント装置の印刷指固定部を示した断面図で、印刷指として人差し指から小指を印刷指挿入部に挿入した際の固定態様を示している。
【図４】図１のネイルプリント装置の正面側の断面図である。
【図５】図１のネイルプリント装置の側断面図である。
【図６】本実施形態に係るネイルプリント装置の制御構成を示した要部ブロック図である。
【図７】本実施形態におけるフィッティングテーブル記憶部のデータ構成例を示す図である。
【図８】（Ａ）は、デザインモードＡの場合にフィッティングされるデザイン画像の一例を示した説明図であり、（Ｂ）は、デザインモードＡの場合に第１の画像データ処理部によって画像データが処理されたデザイン画像を示す説明図であり、（Ｃ）は、デザインモードＡの場合に第２の画像データ処理部によって画像データが処理されたデザイン画像を示す説明図であり、（Ｄ）は、デザインモードＡの場合に画像データ処理部によってフィッティングされたデザイン画像を示す説明図である。
【図９】背景デザインの左右の両端にエッジ領域を備えているデザイン画像の一例を示す説明図である。
【図１０】（Ａ）は、デザインモードＢの場合にフィッティングされるデザイン画像の一例を示した説明図であり、（Ｂ）は、デザインモードＢの場合に第２の画像データ処理部によって画像データが処理されたデザイン画像を示す説明図であり、（Ｃ）は、デザインモードＢの場合に画像データ処理部によってフィッティングされたデザイン画像を示す説明図である。
【図１１】（Ａ）は、デザインモードＣの場合にフィッティングされる絵柄デザインの一例を示した説明図であり、（Ｂ）は、デザインモードＣの場合に、フィッティングされる背景デザインの一例を示した説明図であり、（Ｃ）は、デザインモードＣの場合における、第１の画像データ処理部及び第２の画像データ処理部による処理を説明する説明図であり、（Ｄ）は、デザインモードＣの場合に画像データ処理部によってフィッティングされたデザイン画像を示す説明図である。
【図１２】ネイルプリント装置によって行われる印刷制御処理を示したフローチャートである。
【図１３】図１２におけるフィッティング処理を示すフローチャートである。
【図１４】周辺余白領域を備えたデザイン画像の一例を示す説明図である。
【発明を実施するための形態】
【００１１】
図１から図１３を参照しつつ、本発明に係るネイルプリント装置の一実施形態について説明する。
図１は、本実施形態におけるネイルプリント装置の外観を示す斜視図であり、図２は、ネイルプリント装置の内部構成を示す斜視図である。
【００１２】
図１に示すように、このネイルプリント装置１は、ケース本体２及び蓋体４を備えている。このケース本体２及び蓋体４は、ケース本体２の上面後端部に設けたヒンジ３を介して、互いに連結されている。
【００１３】
上記ケース本体２は平面視で長円状に形成されている。このケース本体２の前側には開閉板２ｃが起倒可能に設けられている。この開閉板２ｃは、ケース本体２の前面下端部に設けたヒンジ（図示せず）を介して、ケース本体２に連結されている。この開閉板２ｃは、ケース本体２の前面を開閉するためのものである。
また、ケース本体２の上面(天板）には後述する操作部１２が設置されており、上面(天板）のほぼ中央部には表示部１３が設定されている。
なお、ケース本体２及び蓋体４の形状、構成はここに例示したものに限定されない。
【００１４】
また、ケース本体２にはネイルプリント装置１の装置本体１０が収容されている。この装置本体１０は、図２に示す印刷指固定部２０、撮影部３０、印刷部４０及び制御部５２を構成している制御装置５０（図６参照）を備えている。これら印刷指固定部２０、撮影部３０、印刷部４０及び制御装置５０は機枠１１に設けられている。
なお、機枠１１は下部機枠１１ａ及び上部機枠１１ｂによって構成されている。そして、下部機枠１１ａは箱状に形成され、ケース本体２の内部下方に設置されており、上部機枠１１ｂは下部機枠１１ａの上方で且つケース本体２の内部上方に設置されている。
【００１５】
印刷指固定部２０は、機枠１１の中の下部機枠１１ａに設けられている。この下部機枠１１ａに設けられた印刷指挿入部２０ａ、非印刷指挿入部２０ｂ及び掴み部２０ｃによって印刷指固定部２０が構成されている。
【００１６】
図３は、印刷指固定部２０を示した断面図である。
ここで、印刷指挿入部２０ａには、印刷しようとする爪Ｔに対応する指（以下「印刷指Ｕ１」という。）が挿入される。また、印刷指挿入部２０ａの底面（印刷指載置面）には、印刷指Ｕ１が載置される。印刷指Ｕ１の撮影や印刷は、印刷指Ｕ１がこの印刷指挿入部２０ａの印刷指載置面に載置された状態で行われる。
また、非印刷指挿入部２０ｂは、印刷指以外の指（以下「非印刷指Ｕ２」という。）を挿入するための指挿入部である。
また、掴み部２０ｃは、印刷指挿入部２０ａに挿入された印刷指Ｕ１と、非印刷指挿入部２０ｂに挿入された非印刷指Ｕ２とで挟持することが可能な部分である。本実施形態において、この掴み部２０ｃは印刷指挿入部２０ａと非印刷指挿入部２０ｂとを仕切る隔壁２１によって構成されている。
【００１７】
この隔壁２１の上面は平坦な印刷指載置面を構成している。この隔壁２１の指挿入側端部には膨出部２２が形成されている。この膨出部２２は、印刷指挿入部２０ａ及び非印刷指挿入部２０ｂに印刷指Ｕ１及び非印刷指Ｕ２を深く挿入した際に、印刷指Ｕ１及び非印刷指Ｕ２の付け根Ｕ３が当接する部分に形成されている。膨出部２２は、印刷指Ｕ１の腹全体が印刷指載置面に当接した状態で、印刷指Ｕ１と非印刷指Ｕ２とで隔壁２１（掴み部２０ｃ）を強く挟持することができるように、指挿入方向の断面が、隔壁２１の下面から下方に向けて膨出するように円形となっている。なお、膨出部２２の形状は、断面円形に限定されることなく、断面楕円形，多角形等の非円形であってもよい。
【００１８】
例えば、左手の親指以外の４本の指（人差し指、中指、薬指及び小指）が印刷指Ｕ１となる場合には、図３に示すように、ユーザは印刷指挿入部２０ａに４本の印刷指Ｕ１を挿入し、非印刷指挿入部２０ｂに非印刷指Ｕ２である親指を挿入する。この場合、ユーザが印刷指挿入部２０ａに挿入された印刷指Ｕ１と、非印刷指挿入部２０ｂに挿入された非印刷指Ｕ２とで掴み部２０ｃを挟持することにより、印刷指Ｕ１が掴み部２０ｃの上で固定される。
また、親指のみが印刷指Ｕ１となる場合には、親指（印刷指Ｕ１）を印刷指挿入部２０ａに挿入し、親指以外の４本の指（非印刷指Ｕ２）を非印刷指挿入部２０ｂに挿入する。この場合にも、ユーザが印刷指Ｕ１と非印刷指Ｕ２とで掴み部２０ｃを挟持することで印刷指Ｕ１が固定される。
【００１９】
また、図４は、本実施形態に係るネイルプリント装置１の正面側の断面図であり、図５は、ネイルプリント装置１の側断面図である。
図４及び図５に示すように、撮影部３０は、機枠１１の中の上部機枠１１ｂに設けられている。
すなわち、上部機枠１１ｂに設置された基板３１の中央部下面には、ドライバーを内蔵した２００万画素程度以上の画素を有するカメラ３２が設置されている。また、基板３１には、カメラ３２を囲むように白色ＬＥＤ等の照明灯３３が設置されている。撮影部３０は、このカメラ３２及び照明灯３３を備えて構成されている。
この撮影部３０は、印刷指挿入部２０ａの底面（印刷指載置面）に載置された印刷指Ｕ１を照明灯３３によって照明し、カメラ３２によってその印刷指Ｕ１を撮影して、当該印刷指Ｕ１に対応する爪Ｔの爪領域Ｔａ（図８（Ｂ）等参照）の画像を含む指画像を取得する指画像取得部であり、この撮影部３０は、後述する制御装置５０の撮影制御部５２２に接続され、該撮影制御部５２２によって制御されるようになっている。
【００２０】
また、印刷部４０は、爪領域Ｔａの座標値に基づく印刷用画像データに従って印刷対象領域である爪領域Ｔａに色や模様等の印刷を施すものであり、主に上部機枠１１ｂに設けられている。
すなわち、図４及び図５に示すように、上部機枠１１ｂの両側板には、２本のガイドロッド４１が平行に架設されている。このガイドロッド４１には、主キャリッジ４２が摺動自在に設置されている。また、図５に示すように、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部には、印刷ヘッド４６が搭載されている。
印刷ヘッド４６は、後述する絵柄デザインＰ（図８（Ａ）等参照）である第１のデザインと、背景デザインＢ（図８（Ａ）等参照）である第２のデザインとを含む画像データに基づいて爪領域Ｔａに印刷を行う。
なお、印刷ヘッド４６による印刷は、これに限定されず、例えば、絵柄デザインＰ（第１のデザイン）及び背景デザインＢ（第２のデザイン）のうちいずれか一つを含む画像データに基づいて行われてもよい。
本実施形態において、この印刷ヘッド４６は、インクを微滴化し、印刷対象の被印刷面に対し直接に吹き付けて印刷を行うインクジェット方式の印刷ヘッド４６である。なお、印刷ヘッド４６の記録方式はインクジェット方式に限定されない。
【００２１】
主キャリッジ４２は動力伝達部（図示せず）を介してモータ４３に連結され、モータ４３の正逆回転によって、ガイドロッド４１に沿って左右方向に移動するように構成されている。また、副キャリッジ４５は動力伝達部（図示せず）を介してモータ４７に連結され、モータ４７の正逆回転によって、ガイドロッド４４に沿って前後方向に移動するように構成されている。
また、下部機枠１１ａには、印刷ヘッド４６にインクを供給するためのインクカートリッジ４８が設けられている。インクカートリッジ４８は、図示しないインク供給管を介して印刷ヘッド４６と接続されており、適宜印刷ヘッド４６にインクを供給するようになっている。なお、印刷ヘッド４６自体にインクカートリッジを搭載する構成としてもよい。
【００２２】
印刷部４０は、これらガイドロッド４１、主キャリッジ４２、モータ４３、ガイドロッド４４、副キャリッジ４５、印刷ヘッド４６、モータ４７及びインクカートリッジ４８等を備えて構成されている。この印刷部４０のモータ４３、印刷ヘッド４６、モータ４７は、後述する制御装置５０の印刷制御部５２５に接続され、該印刷制御部５２５によって制御されるようになっている。
【００２３】
操作部１２は、ユーザが各種入力を行うための入力部である（図１等参照）。
操作部１２には、例えば、ネイルプリント装置１の電源をＯＮする電源スイッチ、印刷動作を開始させる印刷スイッチ、動作を停止させる停止スイッチ、その他各種の入力を行うための操作釦１２１が配置されている。
【００２４】
表示部１３は、例えば液晶ディスプレイ（ＬＣＤ：Liquid Crystal Display）、有機エレクトロルミネッセンスディスプレイその他のフラットディスプレイ等で構成されている。本実施形態において、表示部１３には、例えば、印刷指Ｕ１を撮影した指画像やその中の爪領域Ｔａ、爪Ｔに印刷すべきデザイン画像Ｄを選択するためのデザイン選択画面、印刷指Ｕ１の爪領域Ｔａに印刷すべきデザイン画像Ｄ、後述する画像データ処理部５２４によって処理されたデザイン画像Ｄ（印刷用画像データ）を確認するためのサムネイル画像等が表示されるようになっている。
なお、表示部１３の表面に、タッチパネルが一体的に構成されていてもよい。この場合には、例えば、先の尖った棒状の筆記具様であってタッチパネル表面に押し当てることにより筆記する図示しないスタイラスペンや指先等によるタッチ操作により、表示部１３の表面をタッチすることによっても各種の入力を行うことができるように構成される。
【００２５】
表示部１３には、例えば、印刷指Ｕ１を撮影した指画像やその中の爪領域Ｔａ、印刷指Ｕ１の爪領域Ｔａに印刷すべきデザイン画像Ｄ、後述する画像データ処理部５２４によって処理されたデザイン画像Ｄ（印刷用画像データ）を確認するためのサムネイル画像等が表示されるようになっている。
【００２６】
また、制御装置５０は、例えば上部機枠１１ｂに配置された基板３１等に設置されている。図６は、本実施形態における制御構成を示す要部ブロック図である。
【００２７】
図６に示すように、制御装置５０は、図示しないＲＯＭ（Read Only Memory）及びＲＡＭ（Random Access Memory）等で構成される記憶部５１と、図示しないＣＰＵ（Central Processing Unit）等によって構成されている制御部５２とを備えるコンピュータである。
【００２８】
記憶部５１には、ネイルプリント装置１を動作させるための各種プログラムや各種データ等が格納されている。
本実施形態において、記憶部５１には、画像データ記憶部５１１、フィッティングテーブル記憶部５１２等が設けられている。
【００２９】
画像データ記憶部５１１は、第１のデザインである絵柄デザインＰ及び／又は第２のデザインである背景デザインＢを含むデザイン画像Ｄ（図８（Ａ）等参照）の画像データを複数記憶している。
ここで、絵柄デザインＰ（第１のデザイン）とは、例えば、花柄や星柄等のワンポイント模様で構成されるデザインをいう。第１のデザインである絵柄デザインＰは、漢字、平仮名、カタカナ、アルファベット等の文字、数字、記号、絵文字等を含む。絵柄デザインＰは、背景デザイン以外のものであればよく、ここに挙げたものに限定されない。また、背景デザインＢ（第２のデザイン）とは、ライン柄やチェック柄、マーブル柄等、爪全体にほぼ均一的に配置されるデザインをいう。例えば、デザイン画像Ｄａ（図７等参照）は、図８（Ａ）等に示すように、桜の花びら等の絵柄デザインＰ（このデザイン画像Ｄａの絵柄デザインＰを「絵柄デザインＰａ」とする。）と無地の上下に横ラインが入った背景デザインＢ（このデザイン画像Ｄａの背景デザインＢを「背景デザインＢａ」とする。）とで構成されている。
各デザイン画像Ｄの画像データには、各画像データを特定することのできるアクセス情報（例えば、「デザイン画像Ｄａ」「デザイン画像Ｄｂ」「デザイン画像Ｄｃ」等）が付帯されている。
なお、画像データ記憶部５１１に記憶されるデザイン画像Ｄの画像データは、絵柄デザインＰである第１のデザインと背景デザインＢである第２のデザインとを含む単一の画像データであってもよいし、第１のデザインの画像データである第１の画像データと第２のデザインの画像データである第２の画像データとから構成されていてもよい。
デザイン画像Ｄの画像データが第１の画像データと第２の画像データとで構成されている場合には、第１の画像データと第２の画像データとの組み合わせが予め定められ、両者が対応付けられて画像データ記憶部５１１に記憶されていてもよいし、ユーザによって、一つ又は複数の第１の画像データと第２の画像データとが選択可能としてもよい。第１の画像データと第２の画像データとをユーザが選択することができるようにした場合には、デザイン画像Ｄは、ユーザによって選択された一つ又は複数の第１の画像データと第２の画像データとを組み合わせることで構成され、選択された第１の画像データ及び第２の画像データが互いに対応付けられて画像データ記憶部５１１に記憶される。
また、画像データ記憶部５１１に記憶されるデザイン画像Ｄの画像データは、絵柄デザインＰである第１のデザイン及び背景デザインＢである第２のデザインのいずれか一方のみで構成された画像データであってもよい。
【００３０】
第２のデザインに後述する所定の繰り返し幅Ｒのエッジ領域Ｉが設定された場合に、フィッティングテーブル記憶部５１２は、繰り返し幅Ｒと第２のデザインとを対応づけて記憶する対応付け記憶部である。
図７は、本実施形態におけるフィッティングテーブル記憶部５１２のデータ構成例を示す図である。
図７に示すように、本実施形態では、フィッティングテーブル記憶部５１２には、上記画像データ記憶部５１１に記憶されたデザイン画像Ｄに付帯されたアクセス情報が当該画像データと対応する３種類のデザインモード（デザインモードＡ，デザインモードＢ，デザインモードＣ）のうちいずれか一つと対応付けられて記憶されている。
また、アクセス情報にデザインモードＡが対応付けられて記憶されている場合には、フィッティングテーブル記憶部５１２には、さらに、後述する繰り返し幅Ｒ（図８（Ｃ）等参照）もアクセス情報に対応付けられて記憶されている。
【００３１】
ここでデザインモードとは、後述する画像データ処理部５２４がデザイン画像Ｄの画像データについてフィッティング処理を行う際の処理モードである。
例えばデザイン画像Ｄが絵柄デザインＰ（第１のデザイン）を有し、ワンポイントの花柄等のデザインを爪領域Ｔａ内に丸ごと入れたい場合には、爪領域Ｔａの縦横比を比較し、縦と横のうち小さい方の長さにデザイン画像Ｄを合わせてフィッティングするデザインモードＡが対応付けられる。
また、デザイン画像Ｄが絵柄デザインＰ（第１のデザイン）を含まず背景デザインＢ（第２のデザイン）のみで構成されている場合には、爪領域Ｔａの縦横比を比較し、縦と横のうち大きい方の長さにデザイン画像Ｄを合わせてフィッティングするデザインモードＢが対応付けられる。
また、デザイン画像Ｄが絵柄デザインＰ（第１のデザイン）の画像データである第１の画像データと背景デザインＢ（第２のデザイン）の画像データである第２の画像データとで構成されている場合には、第１の画像データと第２の画像データとについてそれぞれ別個にフィッティングするデザインモードＣが対応付けられる。
【００３２】
フィッティングテーブル記憶部５１２において、デザインモードや繰り返し幅Ｒがデザイン画像Ｄのアクセス情報と対応付けられて記憶されていることにより、後述する画像データ処理部５２４は、当該アクセス情報に基づいてフィッティングテーブル記憶部５１２から適宜必要なデザインモードや繰り返し幅Ｒを読み出すことができる。
例えば、ユーザによって選択されたデザイン画像Ｄが「デザイン画像Ｄａ」である場合、画像データ処理部５２４は、この「デザイン画像Ｄａ」のアクセス情報に基づいて「デザイン画像Ｄａ」に対応するデザインモードＡと繰り返し幅Ｒ１（８画素、図７及び図８(Ａ)等参照）とをフィッティングテーブル記憶部５１２から読み出す。
なお、フィッティングテーブル記憶部５１２の構成はここで示したものに限定されず、例えば、デザイン画像Ｄの画像データ自体がフィッティングテーブル記憶部５１２においてデザインモードや繰り返し幅Ｒと対応付けられて記憶されていてもよい。この場合には別途画像データ記憶部５１１を設ける必要がない。
【００３３】
制御部５２は、機能的に見た場合、表示制御部５２１、撮影制御部５２２、爪領域抽出部５２３、画像データ処理部５２４、印刷制御部５２５等を備えている。これら表示制御部５２１、撮影制御部５２２、爪領域抽出部５２３、画像データ処理部５２４、印刷制御部５２５等としての機能は、制御部５２のＣＰＵと記憶部５１のＲＯＭ等に記憶されたプログラムとの共働によって実現される。
【００３４】
表示制御部５２１は、表示部１３に各種の表示画面を表示させる。
本実施形態では、表示制御部５２１は、デザイン画像Ｄを選択するためのデザイン選択画面、画像データ処理部５２４によって処理されたデザイン画像Ｄ（印刷用画像データ）を確認するためのサムネイル画像、各種の指示を表示させる指示画面、告知画面、警告画面等を表示部１３に表示させるようになっている。
【００３５】
撮影制御部５２２は、ユーザの印刷指Ｕ１の指画像等を撮影するように、撮影部３０の撮影動作を制御する。例えば撮影制御部５２２は、ユーザが印刷指Ｕ１を印刷指挿入部２０ａに挿入する際に、印刷指挿入部２０ａ内に挿入される印刷指Ｕ１の様子を撮影部３０に撮影させる。撮影部３０によって撮影された画像は例えば表示部１３等に表示され、ユーザが印刷指Ｕ１をセットする際に目視にて印刷指Ｕ１の配置を確認できるようにすることが好ましい。
また、撮影制御部５２２は、ユーザの印刷指Ｕ１が印刷指挿入部２０ａ内の所定位置に配置されたときに印刷指Ｕ１を撮影部３０に撮影させる。撮影制御部５２２は、この撮影部３０によって撮影された画像を制御部５２に出力する。
なお、撮影制御部５２２は、撮影部３０によって取得された画像の画像データを記憶部５１に記憶させるようになっていてもよい。
【００３６】
爪領域抽出部５２３は、撮影部３０により取得された印刷指Ｕ１の指画像から、これに含まれる爪Ｔに対応する爪領域Ｔａを抽出する。本実施形態では、爪領域抽出部５２３は、撮影制御部５２２により出力された指画像に基づいて印刷指Ｕ１の爪Ｔの輪郭の座標値(爪Ｔの輪郭の座標値で表わされる領域を「爪領域Ｔａ」という。)、縦横比等を検出する。爪領域抽出部５２３によって抽出された爪領域Ｔａに基づいて印刷ヘッド４６による印刷範囲等が特定される。
なお、爪領域抽出部５２３が爪領域Ｔａを抽出する手法は特に限定されず、各種手法を用いることができる。
以下、この爪領域Ｔａの横方向の長さのうち最も長い部分(爪領域Ｔａの幅が最も出張った部分）の長さをＷ、爪領域Ｔａの縦方向の長さのうち最も長い部分の長さをＨとして、説明する（図８（Ｂ）等参照）。
【００３７】
画像データ処理部５２４は、第１の画像データ処理部５２４ａと第２の画像データ処理部５２４ｂとを備えている。画像データ処理部５２４は、アクセス情報に対応するデザイン画像Ｄの画像データを画像データ記憶部５１１から読み出して取得するとともに、当該デザイン画像Ｄのアクセス情報に基づいて、当該アクセス情報に対応付けられて記憶されているデザインモードをフィッティングテーブル記憶部５１２から読み出して取得する。ここで、アクセス情報にデザインモードＡが対応付けられて記憶されている場合、画像データ処理部５２４は、当該アクセス情報に対応付けられて記憶されている繰り返し幅Ｒもさらに取得する。
また、画像データ処理部５２４は、爪領域抽出部５２３が取得した爪領域Ｔａとデザインモードとに基づいて、デザイン画像Ｄの画像データを第１の画像データ処理部５２４ａ及び／又は第２の画像データ処理部５２４ｂで処理し、デザイン画像Ｄを加工する。
また、画像データ処理部５２４は、第１の画像データ処理部５２４ａ及び／又は第２の画像データ処理部５２４ｂで処理されたデザイン画像Ｄの画像データに基づいてデザイン画像Ｄを爪領域Ｔａに合わせて切り出し、切り出されたデザイン画像Ｄの画像データを印刷用画像データとして印刷制御部５２５に出力する。
【００３８】
第１の画像データ処理部５２４ａは、デザイン画像Ｄに対応付けられたデザインモードがデザインモードＡであった場合、第１のデザインである絵柄デザインＰ（図８（Ｃ）等参照）が爪領域Ｔａ内に位置するようにデザイン画像Ｄの画像データを処理する。
また、第１の画像データ処理部５２４ａは、デザイン画像Ｄに対応付けられたデザインモードがデザインモードＣであった場合、第１のデザインである絵柄デザインＰが爪領域Ｔａに包含されるように絵柄デザインＰの画像データを処理する。
なお、第１の画像データ処理部５２４ａによる具体的な処理は、特に限定されないが、本実施形態では、デザイン画像Ｄに対応付けられたデザインモードがデザインモードＡ及びデザインモードＣの場合に、爪領域Ｔａの縦横比の小さい方の長さ（通常は爪領域Ｔａの横方向の長さＷ）に合わせてデザイン画像Ｄの画像データを処理し、第１のデザインである絵柄デザインＰ（図８（Ａ）等参照）が爪領域Ｔａ内に位置するように、デザイン画像Ｄの大きさを縦横等比で縮小又は拡大させるものとする。これにより、絵柄デザインＰは、爪領域Ｔａの大きさに合わせて縦横等比で縮小又は拡大される。
また、第１の画像データ処理部５２４ａが行う処理には、例えば、絵柄デザインＰを回転させたり、位置を移動させたりするような処理が含まれていてもよい。
【００３９】
また、第２の画像データ処理部５２４ｂは、デザイン画像が第２のデザインである背景デザインＢ（図８（Ａ）等参照）を含む場合、背景デザインＢが爪領域Ｔａを包含するようにデザイン画像Ｄの画像データを処理する。
本実施形態では、デザイン画像Ｄに対応付けられたデザインモードがデザインモードＡであった場合、第２の画像データ処理部５２４ｂは、フィッティングテーブル記憶部５１２から、繰り返し幅Ｒを取得する。繰り返し幅Ｒは、デザイン画像Ｄのエッジ領域Ｉ（図８(Ａ)等参照）を定義するための長さであり、本実施形態では画素数で規定される。エッジ領域Ｉは、背景デザインＢの端から繰り返し幅Ｒの画素分の領域で設定される（図８（Ａ）の繰り返し幅Ｒ１及びエッジ領域Ｉ１参照）。第２の画像データ処理部５２４ｂは、背景デザインＢの端からエッジ領域Ｉをデザイン画像Ｄの外側に向かって繰り返して設けることで背景デザインＢを延伸させる加工を行う。
【００４０】
また、第２の画像データ処理部５２４ｂは、デザイン画像Ｄに対応付けられたデザインモードがデザインモードＢ及びデザインモードＣであった場合、第２のデザインである背景デザインＢが爪領域Ｔａを包含するよう、背景デザインＢの画像データを処理し、背景デザインＢの大きさを縦横等比で縮小または拡大させたりする加工を行う。
なお、第２の画像データ処理部５２４ｂが行う処理は、ここに挙げられたものに限られない。例えば、第２の画像データ処理部５２４ｂが行う処理には、背景デザインＢの位置を移動させたり、背景デザインＢを回転させたりするような処理が含まれていてもよい。
【００４１】
ここで、画像データ処理部５２４による各デザインモードにおけるデザイン画像Ｄのフィッティングについて、具体例を図８から図１１を参照して説明する。
ここで、説明を簡単にするため、各デザインモードの説明に用いるデザイン画像Ｄは、爪Ｔよりも大きな正方形であるものとする。また、画像データ処理部５２４は、画像データを処理してデザイン画像Ｄのフィッティングを行うものであるが、説明を簡単にするため、画像データ処理部５２４が画像データではなく、直接デザイン画像Ｄを処理しているものとみなして説明をする。
【００４２】
まず、デザインモードＡによるフィッティング処理について、デザイン画像Ｄａ（図７参照）をフィッティングする場合を例として説明する。
図８（Ａ）は、デザインモードＡによりフィッティングされるデザイン画像Ｄａの一例を示した説明図であり、図８（Ｂ）は、デザインモードＡの場合に第１の画像データ処理部５２４ａによってデザイン画像Ｄａの画像データが処理された状態を示す説明図であり、図８（Ｃ）は、デザインモードＡの場合に第２の画像データ処理部５２４ｂによってデザイン画像Ｄａの画像データが処理された状態を示す説明図であり、図８（Ｄ）は、デザインモードＡの場合に画像データ処理部５２４によって爪領域Ｔａにデザイン画像Ｄａがフィッティングされた状態を示す説明図である。
図８（Ａ）等に示すデザイン画像Ｄａは、第１のデザインである絵柄デザインＰａと第２のデザインである背景デザインＢａとを備えている。また、背景デザインＢａの上下の両端には、繰り返し幅Ｒ１の長さ（図示例では、８画素分の長さ）のエッジ領域Ｉ１が設定されている。図８（Ａ）に示すように、エッジ領域Ｉ１は、横縞模様の１単位を形成している。なお、デザイン画像Ｄａに対応するデザインモードとエッジ領域Ｉ１を定義するための繰り返し幅Ｒ１とは、図７に示すように、アクセス情報に対応付けられてフィッティングテーブル記憶部５１２に記憶されており、画像データ処理部５２４によってフィッティングテーブル記憶部５１２から読み出される。
【００４３】
第１の画像データ処理部５２４ａは、デザイン画像Ｄａの縦横の長さが爪領域Ｔａの縦横比の小さい方の長さ（本実施形態では爪領域Ｔａの横方向の長さＷ）となるようにデザイン画像Ｄａを縦横等比で縮小させる。ここでは、デザイン画像Ｄａの縦方向及び横方向の長さは、１／２に縮小されたものとする。この場合、繰り返し幅Ｒ１も同じ比率で縮小され４画素となり、エッジ領域Ｉ１も、縦方向及び横方向の長さが１／２に縮小される。
次に、第１の画像データ処理部５２４ａは、縮小されたデザイン画像Ｄａの中心を爪領域Ｔａの中心に重畳させる。ここで、デザイン画像Ｄａは、正方形であるため、デザイン画像Ｄａの縦方向及び横方向の長さは、ともに爪領域Ｔａの横方向の長さＷと同じである。また、爪領域Ｔａの縦方向の長さのうち最も長い部分の長さは、Ｈである。このため、図８（Ｂ）に示すように、爪領域Ｔａには、縦方向の上下の両端部に長さ（Ｈ−Ｗ）／２の空白領域Ｎが生じる。
次に、第２の画像データ処理部５２４ｂは、縮小されたデザイン画像Ｄａの背景デザインＢａの縦方向の両端から縮小されたエッジ領域Ｉ１を縦方向に繰り返して設けることで背景デザインＢａを延伸させる。第２の画像データ処理部５２４ｂは、空白領域Ｎがなくなるまで、すなわち、延伸されたエッジ領域Ｉ１の総量（繰り返し総量）の縦方向の長さ（繰り返し総長ＲＡ）が（Ｈ−Ｗ）／２と等しくなる又は（Ｈ−Ｗ）／２よりも長くなるまで、エッジ領域Ｉ１を縦方向に繰り返して設置し、背景デザインＢａを延伸させる（図８（Ｃ）。これにより、背景デザインＢａは、爪領域Ｔａ全体を包含する大きさとなる。
次に、画像データ処理部５２４は、爪領域Ｔａからはみ出した背景デザインＢａを切り落とし、デザイン画像Ｄａを爪領域Ｔａの形に合せ込む（図８（Ｄ）参照）。これにより、デザイン画像Ｄａは、爪領域Ｔａにフィッティングされる。
【００４４】
なお、デザイン画像Ｄの構成はここで示したものに限定されない。例えば、図９に示すように、デザイン画像Ｄｄの背景デザインＢｄは、背景デザインＢｄの左右の両端に所定の繰り返し幅Ｒ２の領域のエッジ領域Ｉ２を備えていてもよい。
また、前記の例では、第１の画像データ処理部５２４ａは、デザイン画像Ｄａの縦横の長さが爪領域Ｔａの横方向の長さＷとなるようにデザイン画像Ｄａを縮小させるものとしたが（図８参照）、合せ込む長さは爪領域Ｔａの横方向の長さＷに限定されない。
例えば、図９に示すように、爪領域Ｔａの縦横比が、爪領域Ｔａの縦方向の長さＨの方が爪領域Ｔａの横方向の長さＷよりも小さい場合には、デザイン画像Ｄｄの縦横の長さが爪領域Ｔａの縦方向の長さＨとなるようにデザイン画像Ｄｄを縮小又は拡大させる。これにより、横長形状の爪Ｔであっても絵柄デザインＰｄが爪領域Ｔａ内に適切に配置される。この場合、横方向の左右の両端部に長さ（Ｗ−Ｈ）／２の空白領域Ｎが生じる（図９参照）。デザイン画像Ｄｄの背景デザインＢｄが背景デザインＢｄの左右の両端に所定の繰り返し幅Ｒ２の長さのエッジ領域Ｉ２を備えるものである場合には、第２の画像データ処理部５２４ｂは、空白領域Ｎがなくなるまで、このエッジ領域Ｉ２を横方向に延伸させることで爪領域Ｔａ全体に塗り残しなく印刷を行うことができる。
【００４５】
次に、デザインモードＢによるフィッティング処理について、デザイン画像Ｄｂ（図７参照）をフィッティングする場合を例として説明する。以下、爪領域Ｔａの縦方向の長さＨ＞爪領域Ｔａの横方向の長さＷの場合の例として説明する。
図１０（Ａ）は、デザインモードＢによりフィッティングされるデザイン画像Ｄｂの一例を示した説明図であり、図１０（Ｂ）は、デザインモードＢの場合に第２の画像データ処理部５２４ｂによってデザイン画像Ｄｂの画像データが処理された状態を示す説明図であり、図１０（Ｃ）は、デザインモードＢの場合に画像データ処理部５２４によって爪領域Ｔａにデザイン画像Ｄｂがフィッティングされた状態を示す説明図である。
デザインモードＢは、前述のように、デザイン画像Ｄが第２のデザインのみで構成されている場合のフィッティングモードである。具体的には、例えば、図１０（Ａ）等に示すような、ワンポイント柄のない、全体柄及び全体模様のような爪領域Ｔａ全体に印刷される背景デザインＢｂからデザイン画像Ｄｂが構成されている場合のデザインモードである。
【００４６】
まず、第２の画像データ処理部５２４ｂは、デザイン画像Ｄｂの縦横の長さが爪領域Ｔａの縦横比の大きい方の長さ（本実施形態では爪領域Ｔａの縦方向の長さＨ）となるようにデザイン画像Ｄｂを縦横等比で縮小させる。（図１０（Ｂ））。次に、画像データ処理部５２４は、爪領域Ｔａからはみ出したデザイン画像Ｄｂを切り落とし、デザイン画像Ｄｂを爪領域Ｔａの形に合せ込む（図１０（Ｃ）参照）。これにより、デザイン画像Ｄｂは爪領域Ｔａにフィッティングされる。
【００４７】
なお、デザインモードＢによりフィッティング処理が行われるデザイン画像Ｄの柄は、図示例のデザイン画像Ｄｂのような模様に限定されない。例えば、小紋柄など、小さなデザインが全体にちりばめられている全体柄のようなものであってもよい。
また、上記の例では、第２の画像データ処理部５２４ｂは、デザイン画像Ｄの縦横の長さが爪領域Ｔａの縦方向の長さＨとなるようにデザイン画像Ｄを縦横等比で縮小させるものとしたが、合せ込む長さは爪領域Ｔａの縦方向の長さＨに限定されない。
例えば、図９に示すような、爪領域Ｔａの縦横比が、爪領域Ｔａの縦方向の長さＨの方が爪領域Ｔａの横方向の長さＷよりも小さい場合には、第２の画像データ処理部５２４ｂは、デザイン画像Ｄの縦横の長さが爪領域Ｔａの横方向の長さＷとなるようにデザイン画像Ｄを縦横等比で縮小又は拡大させる。これにより、横長形状の爪Ｔであっても背景デザインＢが爪領域Ｔａ全体を覆うように配置される。
【００４８】
次に、デザインモードＣによるフィッティング処理について、デザイン画像Ｄｃ（図７参照）をフィッティングする場合を例として説明する。
図１１（Ａ）は、デザインモードＣによりフィッティングされるデザイン画像Ｄｃを構成する第１のデザインである絵柄デザインＰｃの一例を示した説明図であり、図１１（Ｂ）は、デザイン画像Ｄｃを構成する第２のデザインである背景デザインＢｃの一例を示した説明図であり、図１１（Ｃ）は、デザインモードＣの場合における、第１の画像データ処理部５２４ａ及び第２の画像データ処理部５２４ｂによる画像データの処理を説明する説明図であり、図１１（Ｄ）は、デザインモードＣの場合に画像データ処理部５２４によって爪領域Ｔａにデザイン画像Ｄｃがフィッティングされた状態を示す説明図である。
ここで、デザインモードＣによりフィッティングされるデザイン画像Ｄｃの画像データは、第１のデザインである絵柄デザインＰｃ（図１１（Ａ））の画像データである第１の画像データと、第２のデザインである背景デザインＢｃ（図１１（Ｂ）参照）の画像データである第２の画像データとで構成されるものとする。また、本実施形態の絵柄デザインＰｃは、色がついている花柄部ｆと色のついていない透明な透明部ｔとを備える正方形であるものとする。
【００４９】
デザインモードＣにおいては、図１１（Ｃ）に示すように、第１の画像データ処理部５２４ａは、第１の画像データについて絵柄デザインＰｃの縦横の長さが爪領域Ｔａの横方向の長さＷとなるように絵柄デザインＰｃを縦横等比で縮小させる。
次に、第２の画像データ処理部５２４ｂは、第２の画像データについて背景デザインＢｃの縦横の長さが爪領域Ｔａの縦方向の長さＨとなるように背景デザインＢｃを縦横等比で縮小させる。
次に、画像データ処理部５２４は、縮小された絵柄デザインＰｃを縮小された背景デザインＢｃに重畳し、爪領域Ｔａからはみ出した背景デザインＢｃを切り落とし、絵柄デザインＰｃ及び背景デザインＢｃを爪領域Ｔａの形に合せ込む。これにより、図１１（Ｄ）に示すように、デザイン画像Ｄｃは、爪領域Ｔａにフィッティングされる。
なお、デザイン画像Ｄｃの構成は、ここで示したものに限定されない。例えば、デザイン画像Ｄｃの画像データは、複数の第１のデザインである絵柄デザインＰｃを備えて構成されるものであってもよい。この場合には、全ての絵柄デザインＰｃについて、上記第１の画像データ処理部５２４ａによる合せ込み処理を行った上で、全ての画像データを重畳する。
【００５０】
印刷制御部５２５は、画像データ処理部５２４から入力された印刷用画像データに基づいて印刷部４０を制御し、印刷ヘッド４６によって印刷指挿入部２０ａに挿入された指（印刷指Ｕ１）の爪Ｔ（爪領域Ｔａ）にデザイン画像Ｄの印刷を行わせる。
【００５１】
次に、図１２から図１３を参照しつつ、本実施形態におけるネイルプリント装置１の印刷制御方法について説明する。
図１２は、ネイルプリント装置１によって行われる印刷制御処理を示したフローチャートであり、図１３は、ネイルプリント装置１によって行われるフィッティング処理を示すフローチャートである。
なお、説明を簡単にするため、以下の説明で用いるデザイン画像Ｄａ等は爪Ｔよりも大きな正方形であるものとし、爪領域Ｔａの縦横比の大きい方の長さは爪領域Ｔａの縦方向の長さＨであるものとする。
【００５２】
このネイルプリント装置１により印刷を行う場合、ユーザは、まず、電源スイッチを入れて制御装置５０を起動させる。
表示制御部５２１は、表示部１３にデザイン選択画面（図示しない）を表示させる（ステップＳ１）。これにより、ユーザが操作部１２の操作釦１２１等を操作して、デザイン選択画面に表示された複数のデザイン画像Ｄの中から所望のデザイン画像Ｄを選択することで、操作部１２から当該デザインのアクセス情報が制御部５２に出力され、印刷すべきデザイン画像Ｄが指定される。
【００５３】
次に、ユーザは、印刷指Ｕ１を印刷指挿入部２０ａに挿入し、非印刷指Ｕ２を非印刷指挿入部２０ｂに挿入して、印刷指Ｕ１を固定した上で、印刷スイッチを操作する。
例えば、左手の人差し指、中指、薬指及び小指の爪領域Ｔａに印刷を施したい場合には、図３に示すように、印刷指挿入部２０ａに人差し指、中指、薬指及び小指を平面的に並べて挿入し、非印刷指挿入部２０ｂに親指を挿入する。そして、印刷指挿入部２０ａに挿入した人差し指、中指、薬指及び小指と非印刷指挿入部２０ｂに挿入した親指とで掴み部２０ｃを挟持する。これによって、印刷指Ｕ１である人差し指、中指、薬指及び小指が固定される。
【００５４】
制御装置５０は、表示部１３の印刷スイッチから指示が入力されると、印刷動作を開始する前に、まず撮影部３０を制御して、印刷指Ｕ１全体を撮影させる。これにより、印刷指Ｕ１の指画像が取得される（ステップＳ２）。爪領域抽出部５２３は、この指画像から印刷対象領域となる爪領域Ｔａを抽出する（ステップＳ３）。
【００５５】
次に、主に画像データ処理部５２４によってフィッティング処理が行われる（ステップＳ４）。
図１３に示すように、フィッティング処理では、まず、画像データ処理部５２４は、制御部５２に入力された指示信号により特定されるアクセス情報に対応するデザイン画像Ｄの画像データを画像データ記憶部５１１から読み出して取得するとともに、当該アクセス情報に対応するデザインモードをフィッティングテーブル記憶部５１２から読み出して取得する（ステップＳ１１）。
【００５６】
画像データ処理部５２４は、取得されたデザインモードがデザインモードＡか否かを判断する(ステップＳ１２)。そして、デザインモードＡであると判断した場合（ステップＳ１２：ＹＥＳ）には、アクセス情報に対応付けて記憶されている繰り返し幅Ｒについても取得する。次に、第１の画像データ処理部５２４ａは、第１のデザインである絵柄デザインＰが爪領域Ｔａ内に位置するよう、デザイン画像Ｄの画像データを処理する。ここでは、デザイン画像Ｄの縦横の長さが爪領域Ｔａの横方向の長さＷとなるようにデザイン画像Ｄを縦横等比で縮小させる。（ステップＳ１３）。また、第１の画像データ処理部５２４ａは、縮小されたデザイン画像Ｄの中心を爪領域Ｔａの中心に重畳させる。この場合爪領域Ｔａの縦横比が同じでない限りは、例えば図８（Ｂ）に示すように、爪領域Ｔａには、爪領域Ｔａの縦方向の上下の両端部に縦方向の長さが（Ｈ−Ｗ）／２の空白領域Ｎが生じる。
【００５７】
第２の画像データ処理部５２４ｂは、空白領域Ｎがあるか否か、すなわち、延伸されたエッジ領域Ｉの総量（繰り返し総量）の縦方向の長さ（繰り返し総長ＲＡ）が（Ｈ−Ｗ）／２よりも短いか否かを判断する（ステップＳ１４）。繰り返し総長ＲＡが（Ｈ−Ｗ）／２よりも短いと判断した場合（ステップＳ１４：ＹＥＳ）には、エッジ領域Ｉを背景デザインＢの縦方向に繰り返して設置し、背景デザインＢを延伸させ（ステップＳ１５）、繰り返し総長ＲＡが（Ｈ−Ｗ）／２よりも短くない(繰り返し総長ＲＡが（Ｈ−Ｗ）／２と等しい又は（Ｈ−Ｗ）／２よりも長い)と判断するまで、ステップＳ１４からステップＳ１５を繰り返す。
【００５８】
繰り返し総長ＲＡが（Ｈ−Ｗ）／２と等しい又は（Ｈ−Ｗ）／２よりも長いと判断した場合（ステップＳ１４：ＮＯ）には、画像データ処理部５２４は、爪領域Ｔａからはみ出したデザイン画像Ｄを切り落とし、デザイン画像Ｄを爪領域Ｔａの形に合わせる（ステップＳ１６）。画像データ処理部５２４は、この爪領域Ｔａの形に合わせられたデザイン画像Ｄの画像データ（印刷用画像データ）を印刷制御部５２５に出力し、フィッティング処理を終了する。
【００５９】
また、デザインモードＡではないと判断した場合（ステップＳ１２：ＮＯ）には、画像データ処理部５２４は、取得されたデザインモードがデザインモードＢか否かを判断する(ステップＳ１７)。そして、デザインモードＢであると判断した場合（ステップＳ１７：ＹＥＳ）には、第２の画像データ処理部５２４ｂは、図１０（Ｂ）に示すように、デザイン画像Ｄの縦横の長さが爪領域Ｔａの縦方向の長さＨとなるようにデザイン画像Ｄを縦横等比で縮小させる（ステップＳ１８）。その後、ステップＳ１６に進み、画像データ処理部５２４は、爪領域Ｔａからはみ出したデザイン画像Ｄを切り落とし、デザイン画像Ｄを爪領域Ｔａの形に合わせる。
【００６０】
また、デザインモードＢではないと判断した場合（ステップＳ１７：ＮＯ）、すなわち、デザインモードＣである場合、第１の画像データ処理部５２４ａは、図１１（Ｃ）に示すように、絵柄デザインＰの縦横の長さが爪領域Ｔａの横方向の長さＷとなるように絵柄デザインＰを縦横等比で縮小させる（ステップＳ１９）。次に、第２の画像データ処理部５２４ｂは、背景デザインＢの縦横の長さが爪領域Ｔａの縦方向の長さＨとなるように背景デザインＢを縦横等比で縮小させる（ステップＳ２０）。画像データ処理部５２４は、縮小された絵柄デザインＰを縮小された背景デザインＢに重畳する。
その後、ステップＳ１６に進み、画像データ処理部５２４は、爪領域Ｔａからはみ出した背景デザインＢを切り落とし、デザイン画像Ｄを爪領域Ｔａの形に合わせる。
【００６１】
図１２に戻り、印刷制御部５２５は、印刷部４０を制御し、画像データ処理部５２４から入力された印刷用画像データに基づいて印刷ヘッド４６により爪領域Ｔａにデザイン画像Ｄを印刷させる（ステップＳ５、ネイル印刷）。なお、両手の全指に印刷を行うように予め設定されていた場合のように、複数本の印刷指Ｕ１にネイル印刷を行う設定がなされていた場合には、制御部５２は、印刷が予定されている全指についてデザイン画像Ｄの印刷が完了したか否かを判断し、印刷が完了していると判断した場合には、印刷制御処理を終了する。
【００６２】
以上のように、本実施形態におけるネイルプリント装置１によれば、デザインモードに応じて、絵柄デザインＰを爪領域Ｔａ内に位置させるようにデザイン画像Ｄが縦横等比で縮小又は拡大され、爪領域Ｔａに空白領域Ｎが生じないように背景デザインＢが加工されることで、デザイン画像Ｄが爪領域Ｔａにフィッティングされる。このため、ユーザが手動で大きなデザイン画像Ｄを爪ごとにフィッティングさせる必要がなく、自動でデザイン画像Ｄを爪領域Ｔａに最適にフィッティングさせることができ、手軽にネイル印刷を楽しむことができる。また、デザイン画像Ｄを爪領域Ｔａにフィッティングさせた場合に、絵柄デザインＰが爪領域Ｔａからはみ出したり、縦横比が変化した歪な絵柄デザインＰとなったり、非印刷領域ができたりしてしまう、ということを防止することができる。
また、デザインモードＡの場合、フィッティングテーブル記憶部５１２に繰り返し幅Ｒが設定される。これにより、無地ではないボーダー柄やチェック柄のように、繰り返しで一つの模様になる柄もエッジ領域Ｉとすることができ、様々な柄のデザイン画像Ｄを印刷することができる。
また、デザイン画像Ｄの画像データが、絵柄デザインＰの画像データと背景デザインＢの画像データとをもつ場合、絵柄デザインＰと背景デザインＢとを別個に縦横等比で縮小又は拡大させることで、爪Ｔの形状にかかわらず爪領域Ｔａにフィッティングすることができる。これにより、繰り返し幅Ｒがフィッティングテーブル記憶部５１２に記憶される必要がなく、記憶部５１の容量を節約できる。これにより、より多くのデザイン画像Ｄを画像データ記憶部５１１に記憶させることができる。
また、表示部１３には、フィッティングされたデザイン画像Ｄが表示されるようになっている。このため、ユーザは、フィッティングされたデザイン画像Ｄが所望のものか確認することができ、便利である。
また、この場合、ユーザはフィッティングされたデザイン画像Ｄを確認して、そのまま印刷を開始してよければ、印刷の開始を指示する操作釦１２１を操作する。また、デザイン画像Ｄを変更した場合には、変更を指示する操作釦１２１を操作することにより、デザイン選択画面に戻ることができる。このようにすることで、ユーザは、デザイン画像Ｄがうまくフィッティングされていない場合でも、印刷前に修正することができるため、便利である。
【００６３】
なお、以上本発明の実施形態について説明したが、本発明は、かかる実施形態に限定されず、その要旨を逸脱しない範囲で、種々変形が可能であることは言うまでもない。
【００６４】
例えば、本実施形態では、第２の画像データ処理部５２４ｂは、第２のデザイン（背景デザインＢ）が爪領域Ｔａを包含するように背景デザインＢに対応付けてフィッティングテーブル記憶部５１２に記憶された繰り返し幅Ｒのエッジ領域Ｉを背景デザインＢの端から繰り返して設けることで、背景デザインＢが延伸するようにデザイン画像Ｄの画像データを処理するものとしたが、本発明は、これに限定されず、フィッティングテーブル記憶部５１２に繰り返し幅Ｒが記憶されていなくてもよい。この場合、例えば、第２の画像データ処理部５２４ｂは、背景デザインＢが爪領域Ｔａを包含するように背景デザインＢに共通の所定の繰り返し幅Ｒを規定し、当該所定の繰り返し幅Ｒのエッジ領域Ｉを背景デザインＢの端から繰り返して設けることで背景デザインＢが延伸するようにデザイン画像Ｄの画像データを処理することとしてもよい。この場合には、フィッティングテーブル記憶部５１２には繰り返し幅Ｒが記憶されないため、データ量が少なくなり、より多くのアクセス情報とデザインモードとを対応付けて記憶することができる。
また、この場合、１画素の繰り返し幅Ｒをデザイン画像Ｄに共通の所定の繰り返し幅Ｒとしてエッジ領域Ｉを定義してもよい。このような構成とすることにより、画像データ処理部５２４は、大きなサイズのエッジ領域Ｉの画像データを処理する必要がなく、デザイン画像Ｄを素早くフィッティングすることができる。この場合、デザイン画像Ｄの端は、無地など、繰り返し設置しても同じ模様になるものであることが好ましい。さらに、このようなエッジ領域をデザイン画像Ｄに設けることにより、ユーザがデザイン画像Ｄの全貌を確認しやすくなる。また、爪領域Ｔａにフィッティングさせたデザイン画像Ｄをユーザが予測しやすくなるため、ユーザによるデザインの選択を容易にすることができ、便利である。
【００６５】
また、本実施形態では、デザイン画像Ｄに対応付けられたデザインモードがデザインモードＣであった場合、第２の画像データ処理部５２４ｂは、第２のデザインである背景デザインＢが爪領域Ｔａを包含するよう、背景デザインＢの画像データを処理し、背景デザインＢの大きさを縦横等比で縮小または拡大させたりする加工を行うものとしたが、第２の画像データ処理部５２４ｂが行う処理はこれに限定されない。
例えば、第２の画像データ処理部５２４ｂは、背景デザインＢ（第２のデザイン）に、所定の繰り返し幅Ｒのエッジ領域Ｉを当該背景デザインＢ（第２のデザイン）の端から繰り返して設けることで、当該背景デザインＢ（第２のデザイン）を延伸させるように画像データを処理してもよい。これにより、例えば、背景デザインＢが無地や細かいドット柄のように端部を繰り返しても同じ模様になる柄の場合に、簡易に背景デザインＢを延伸させることができるとともに、ユーザがデザイン画像Ｄの全貌を確認しやすくなる。また、爪領域Ｔａにフィッティングさせたデザイン画像Ｄをユーザが予測しやすくなるため、ユーザによるデザインの選択を容易にすることができるため便利である。
さらに、例えば、背景デザインＢ（第２のデザイン）に所定の繰り返し幅Ｒのエッジ領域Ｉを設定して、当該繰り返し幅Ｒと当該背景デザインＢ（第２のデザイン）とを対応づけてフィッティングテーブル記憶部５１２に記憶させておいてもよい。この場合には、第２の画像データ処理部５２４ｂは、背景デザインＢ（第２のデザイン）に対応付けて記憶されている繰り返し幅Ｒのエッジ領域Ｉを当該背景デザインＢ（第２のデザイン）の端から繰り返して設けることで当該背景デザインＢ（第２のデザイン）を延伸させるように画像データを処理する。これにより、例えば、無地ではないボーダー柄やチェック柄のように、所定幅を繰り返すことで一つの模様になる柄もエッジ領域Ｉとすることができるため、様々な柄のデザイン画像Ｄを印刷することができる。
【００６６】
また、本実施形態では、デザイン画像Ｄは、画像データ記憶部５１１に記憶されているものとしたが、本発明は、これに限定されない。例えば、ネイルプリント装置１にＩｒＤＡ（Infrared DATA Association）などの無線通信を受信できるような受信部を備えさせ、ユーザが別途用意した画像データを、当該無線通信によって受信できるものでもあってもよい。これにより、ユーザがデザイン画像Ｄを別途用意できるため、デザイン画像Ｄの選択肢が増え、様々な状況に対応したデザイン画像Ｄを選択することができ、便利である。また、この場合、本実施形態におけるネイルプリント装置１は、ユーザが別途用意したデザイン画像Ｄに最適なデザインモードを、ユーザが選択できるように構成されていることが好ましい。これにより、ユーザが別途用意したデザイン画像Ｄであっても、適したデザインモードによって当該デザイン画像Ｄのフィッティングを自動で行うことができるため、便利である。
さらに、画像データ記憶部５１１は、ユーザが別途用意した画像を新たに記憶するものとしてもよい。その場合、ネイルプリント装置１は、画像データ記憶部５１１に別途用意されたデザイン画像Ｄにアクセス情報を付帯して記憶させ、フィッティングテーブル記憶部５１２に当該アクセス情報とユーザが選択したデザインモードとを対応付けて記憶させるものとすることが好ましい。これにより、ユーザが再度当該デザイン画像Ｄを選択した場合に、デザインモードを選択する手間が省けデザイン画像Ｄの印刷を素早く行うことができる。
【００６７】
また、本実施形態では、デザイン画像Ｄを縦横等比で縮小させることで、爪にフィッティングさせる例を説明したが、本発明はこれに限定されない。特に、上述したユーザが別途用意したデザイン画像Ｄなどでは、爪の大きさよりも小さい場合も考えられる。このような場合、画像データ処理部５２４は、デザイン画像Ｄを拡大するようデザイン画像Ｄの画像データを処理することで爪にフィッティングさせることが好ましい。
【００６８】
なお、本実施形態では、デザインモードＡ、デザインモードＢ、デザインモードＣの３種類のデザインモードを備えるものとして説明したが、本発明は、これに限定されず適宜変更可能である。例えば、デザインモードＡとデザインモードＣの二つのみを備えるものであってもよいし、他のデザインモードを加えてもよい。この場合、第１の画像データ処理部５２４ａ及び第２の画像データ処理部５２４ｂの処理は、ここに説明したものに限定されず、適宜変更可能である。
【００６９】
なお、説明を簡単にするためデザイン画像Ｄの形状を正方形としたが、実際は、画像データ記憶部５１１に記憶されるデザイン画像Ｄは、７００×８００画素で構成されていることが好ましい。このようなデザイン画像Ｄは、６００ｄｐｉの解像度で印刷された場合、見かけの大きさが３ｃｍ×４ｃｍ位になり、一般的な爪Ｔよりも大きくなる。このため、このようなデザイン画像Ｄを用いると、フィッティング処理の際にデザイン画像Ｄは、拡大されない。これにより、爪に印刷されたデザイン画像Ｄが拡大されてぼやけることなく、綺麗なデザイン画像Ｄを爪Ｔに印刷することができる。
【００７０】
また、このように、デザイン画像Ｄの縦横比が異なる場合、第１の画像データ処理部は、デザイン画像Ｄが爪領域Ｔａに包含されるようにデザイン画像Ｄの大きさを縦横等比で縮小又は拡大させるものであることが好ましい。これにより、デザイン画像Ｄに含まれる第１のデザインである絵柄デザインＰ（図８（Ａ）等参照）は、縦横等比で縮小又は拡大されて爪領域Ｔａ内に位置するようになる。このようにすることで、デザイン画像Ｄの縦横比が異なる場合であっても、絵柄デザインＰが爪領域Ｔａからはみ出したり、縦横比が変化した歪な絵柄デザインＰとなったり、非印刷領域ができたりしてしまう、ということを防止することができる。また、この場合、第２の画像データ処理部５２４ｂによる背景デザインＢの延伸の方向は、生じる空白領域Ｎに応じて適宜変更可能である（図８（Ｂ）及び図９参照）。
【００７１】
さらに、図１４に示すように、デザイン画像Ｄは、その周囲に四角形の周辺余白領域ＡＲを備えるものであってもよい。この周辺余白領域ＡＲは、デザイン画像Ｄが任意に移動できる領域である。これにより、画像データ処理部５２４によって、ユーザの爪領域Ｔａにフィッティングされたデザイン画像Ｄの位置を爪領域Ｔａに合わせて微調整することが可能である。
【００７２】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
絵柄デザインである第１のデザインと、背景デザインである第２のデザインと、を含む画像データに基づいて爪領域に印刷を行う印刷ヘッドと、
前記第１のデザインが前記爪領域内に位置するように前記画像データを処理する第１の画像データ処理部と、前記第２のデザインが前記爪領域を包含するように前記画像データを処理する第２の画像データ処理部と、を有する画像データ処理部と、
を備えていることを特徴とするネイルプリント装置。
＜請求項２＞
前記第２の画像データ処理部は、前記第２のデザインが前記爪領域を包含するように前記第２のデザインに所定の繰り返し幅のエッジ領域を当該第２のデザインの端から繰り返して設けることで当該第２のデザインが延伸するように前記画像データを処理することを特徴とする請求項１に記載のネイルプリント装置。
＜請求項３＞
前記絵柄デザインは、絵柄、漢字、平仮名、カタカナ、アルファベット、数字、記号、絵文字、の少なくともいずれかを含み、
指を撮影して指画像を得る撮影部と、
前記撮影部によって取得された前記指画像から爪領域を抽出する爪領域抽出部と、
前記画像データ処理部によって処理された前記画像データに基づいて前記爪領域に印刷を行うよう前記印刷ヘッドを制御する印刷制御部と、
を備えていることを特徴とする請求項１又は請求項２に記載のネイルプリント装置。
＜請求項４＞
前記第２のデザインに所定の繰り返し幅のエッジ領域を設定し当該繰り返し幅と当該第２のデザインとを対応づけて記憶する対応付け記憶部をさらに備え、
前記第２の画像データ処理部は、前記第２のデザインが前記爪領域を包含するように前記第２のデザインに対応付けて前記対応付け記憶部に記憶された前記繰り返し幅の前記エッジ領域を当該第２のデザインの端から繰り返して設けることで当該第２のデザインが延伸するように前記画像データを処理することを特徴とする請求項１から請求項３のいずれか一項に記載のネイルプリント装置。
＜請求項５＞
前記画像データは、前記第１のデザインの画像データである第１の画像データと、前記第２のデザインの画像データである第２の画像データと、で構成されており、
前記第１の画像データ処理部は、前記第１のデザインが前記爪領域内に包含されるように当該第１のデザインの画像データである前記第１の画像データを処理し、
前記第２の画像データ処理部は、前記第２のデザインが前記爪領域を包含するように当該第２のデザインの画像データである前記第２の画像データのデータを処理することを特徴とする請求項１から請求項４のいずれか一項に記載のネイルプリント装置。
＜請求項６＞
前記画像データ処理部によって処理された前記画像データを表示する表示部を備えていることを特徴とする請求項１から請求項５のいずれか一項に記載のネイルプリント装置。
＜請求項７＞
印刷ヘッドにより、絵柄デザインである第１のデザインと、背景デザインである第２のデザインと、を含む画像データに基づいて爪領域に印刷する場合に、
前記第１のデザインが前記爪領域内に位置するように前記画像データを処理する第１の画像データ処理部と、前記第２のデザインが前記爪領域を包含するように前記画像データを処理する第２の画像データ処理部と、を有する画像データ処理部により、前記画像データを処理することを特徴とするネイルプリント装置の印刷制御方法。
＜請求項８＞
前記第２の画像データ処理部は、前記第２のデザインが前記爪領域を包含するように前記第２のデザインに所定の繰り返し幅のエッジ領域を当該第２のデザインの端から繰り返して設けることで当該第２のデザインが延伸するように前記画像データを処理することを特徴とする請求項７に記載のネイルプリント装置の印刷制御方法。
＜請求項９＞
前記絵柄デザインは、絵柄、漢字、平仮名、カタカナ、アルファベット、数字、記号、絵文字、の少なくともいずれかを含み、
撮影部により、指を撮影して指画像を取得し、
爪領域抽出部により、前記指画像から爪領域を抽出し、
印刷制御部により、前記画像データ処理部によって処理された前記画像データに基づいて前記爪領域に印刷を行うよう前記印刷ヘッドを制御することを特徴とする請求項７又は請求項８に記載のネイルプリント装置の印刷制御方法。
＜請求項１０＞
前記第２のデザインに所定の繰り返し幅のエッジ領域を設定し当該繰り返し幅と当該第２のデザインとを対応づけて対応付け記憶部に記憶させ、
前記第２の画像データ処理部により、前記第２のデザインが前記爪領域を包含するように前記第２のデザインに対応付けて前記対応付け記憶部に記憶された前記繰り返し幅の前記エッジ領域を当該第２のデザインの端から繰り返して設けることで当該第２のデザインが延伸するように前記画像データを処理することを特徴とする請求項７から請求項９のいずれか一項に記載のネイルプリント装置の印刷制御方法。
＜請求項１１＞
前記画像データは、前記第１のデザインの画像データである第１の画像データと、前記第２のデザインの画像データである第２の画像データと、で構成されており、
前記第１の画像データ処理部により、前記第１のデザインが前記爪領域内に包含されるように当該第１のデザインの画像データである前記第１の画像データを処理し、
前記第２の画像データ処理部により、前記第２のデザインが前記爪領域を包含するように当該第２のデザインの画像データである前記第２の画像データのデータを処理することを特徴とする請求項７から請求項１０のいずれか一項に記載のネイルプリント装置の印刷制御方法。
＜請求項１２＞
前記画像データ処理部によって処理された前記画像データを表示する表示部を備えていることを特徴とする請求項７から請求項１１のいずれか一項に記載のネイルプリント装置の印刷制御方法。
【符号の説明】
【００７３】
１        ネイルプリント装置
１０      装置本体
１３      表示部
３０      撮影部
５０      制御装置
５１２    フィッティングテーブル記憶部
５２３    爪領域抽出部
５２４    画像データ処理部
５２４ａ  第１の画像データ処理部
５２４ｂ  第２の画像データ処理部
５２５    印刷制御部
Ｔ        爪
Ｕ１      印刷指
【図１】
2014045927.tif 000003
【図２】
2014045927.tif 000004
【図３】
2014045927.tif 000005
【図４】
2014045927.tif 000006
【図５】
2014045927.tif 000007
【図６】
2014045927.tif 000008
【図７】
2014045927.tif 000009
【図８】
2014045927.tif 000010
【図９】
2014045927.tif 000011
【図１０】
2014045927.tif 000012
【図１１】
2014045927.tif 000013
【図１２】
2014045927.tif 000014
【図１３】
2014045927.tif 000015
【図１４】
2014045927.tif 000016